(57)【特許請求の範囲】
【請求項１】
ケースにプラグが接続位置と収納位置とに回動自在に支持されたプラグ可動式電源アダプタであって、
前記プラグは、絶縁性のプラグ本体と、このプラグ本体の前面から突出して電源に接続される１対のブレードと、回動軸心上に形成された軸孔と、前記回動軸心と直交する一側面から回動軸心方向に突出するブレード接点部とを有し、
前記ケース内に、前記プラグが前記接続位置にあるときに前記ブレード接点部と接触する接触子と、回動規制部材とが設けられ、
前記回動規制部材は、前記プラグの一側面に対向するプレート状の規制部材本体を有し、この規制部材本体に、前記プラグの軸孔に挿通される軸体が突設され、さらに、前記ブレード接点部を挿通させて前記接続位置と収納位置に位置規制する規制溝が形成されているプラグ可動式電源アダプタ。
【請求項２】
請求項１において、さらに前記回動規制部材は、前記プラグ本体の一側面に近接して、前記一側面とケースとの隙間から異物がケース内に侵入するのを防止する異物侵入防止壁を有するプラグ可動式電源アダプタ。
【請求項３】
請求項２において、前記プラグ本体の一側面に、前記異物侵入防止壁の先端部を進入させる凹所が形成されているプラグ可動式電源アダプタ。
【請求項４】
請求項１から３のいずれかにおいて、前記プラグ本体の一側面と反対側の他側面に、前記軸体と協動して前記プラグをケースに対して回動自在に支持する支軸が突出して形成されているプラグ可動式電源アダプタ。
【請求項５】
請求項１から３のいずれかにおいて、前記回動規制部材の軸体は、前記プラグ本体の軸孔を貫通して前記一側面と反対側の他側面から突出し、その突出部がケースに回動自在に支持されているプラグ可動式電源アダプタ。
【請求項６】
請求項２から５のいずれかにおいて、前記異物侵入防止壁は、前記軸体と同芯の環状壁であるプラグ可動式電源アダプタ。
【請求項７】
請求項１から６のいずれかにおいて、前記ケースは２つのケース半体に分割されており、前記回動規制部材は一方のケース半体に形成された取付溝に差し込まれ、他方のケース半体により前記取付溝から離脱不能に位置決めされているプラグ可動式電源アダプタ。
【請求項８】
請求項１から７のいずれかにおいて、前記回動規制部材の規制溝に、前記ブレード接点部に接触して前記プラグの回動に抵抗を与える接触部が形成されているプラグ可動式電源アダプタ。
【請求項９】
請求項１から７のいずれかにおいて、前記回転規制部材と前記プラグ本体の一方に接触突起が設けられ、他方に、前記接触突起に接触して前記プラグ本体の回動に抵抗を与える接触面が設けられているプラグ可動式電源アダプタ。
【請求項１０】
請求項１から７のいずれかにおいて、前記プラグ本体に、回転方向の第１の位置および第２の位置に設けられた係合部が形成され、
前記回動規制部材に、前記第１の位置と第２の位置の前記係合部に選択的に係合されて前記プラグを前記接続位置と収納位置に保持する被係合部が形成されているプラグ可動式電源アダプタ。
【発明の詳細な説明】
【０００１】
【発明の属する技術分野】
本発明は、電源接続用の一対のブレードを有するプラグが、ブレードをケース内部へ収納する収納位置とブレードをケース外部へ突出させる接続位置との間で回転自在となったプラグ可動式電源アダプタに関するものである。
【０００２】
【従来の技術】
従来、商用交流電源を直流電源に変換する比較的小型のＡＣアダプタとしては、プラグを９０度の角度範囲内で回転自在に設けたものが知られている。このＡＣアダプタは、使用時にプラグの一対のブレードをケースから突出させて商用交流電源の電源コンセントに差し込み可能状態とし、不使用時にプラグを回転させてブレードをケースの内部に収納することにより、保管性、携帯性および安全性の向上を図ったものである。
【０００３】
上述のプラグ可動式ＡＣアダプタは、一対のブレードの一部を絶縁性樹脂でモールドしたプラグを有し、このプラグにおけるブレードが突出する前面に直交する２つの側面のうちの一方から、ブレードの接点部が、突出しない面一状態で露出し、他方から回転軸が突出している。このプラグは、絶縁樹脂製のケースの収納凹所内に配置されて、一側面の回転軸がケース内部の軸受で回転自在に支持されているとともに、他側面のブレード接点部がケース内のプリント回路基板に設けられた接触子に弾性的に接触している。接触子は、ブレードがケースの外部に突出した使用状態時のみブレードの接点部に弾性的に接触して電気的に接続され、これ以外の状態時にプラグの他側面に弾性的に圧接されている。プリント回路基板には、所要の回路部品が実装されて、ＡＣ電源をＤＣ電源に変換するＡＣ−ＤＣ変換回路が形成されている。
【０００４】
【発明が解決しようとする課題】
しかしながら、上記構成とした従来のプラグ可動式ＡＣアダプタでは、一対のブレードの接点部が面一に露出されたプラグの他側面に、ケース側のプリント回路基板に設けられた接触子が常時圧接されているので、プラグの回転操作を繰り返したときには、プラグの他側面が接触子の摺接により磨耗して樹脂の削り屑が発生する。この絶縁体である削り屑が接触子と接点部との間に入り込むと接触不良を起こす。
【０００５】
また、上記従来のＡＣアダプタでは、ケースの収納凹所の壁面とプラグとの間に、プラグをスムーズに回転させる目的から必然的に適当な隙間を設けることが必要となるが、この隙間からケースの内部に塵埃や異物などが侵入する可能性がある。この侵入する塵埃などが導電性を有したものである場合には、ケース内部のプリント回路基板の電気回路が電気的にショートする原因になり易い。
【０００６】
さらに、プラグは、その一側面にのみ突設された回転軸によってケースに片持ち式に支持されているだけであるから、円滑な回転操作性が得られ難い。しかも、プラグは、自身の一側面の回転軸のみによって回転自在に支持されているので、堅牢な回転支持機構とは言い難く、長期にわたり使用した時の信頼性に欠ける。
【０００７】
本発明は、上記従来の課題に鑑みてなされたもので、プラグを磨耗の発生が生じないよう回転自在に支持でき、ケースの内部に外部から塵埃や異物などが侵入するのを防止でき、プラグを堅牢な支持機構で支持しながら回転操作できる構成を備えたプラグ可動式電源アダプタを提供することを目的とするものである。
【０００８】
【課題を解決するための手段】
上記目的を達成するために、本発明は、ケースにプラグが接続位置と収納位置とに回動自在に支持されたプラグ可動式電源アダプタであって、前記プラグは、絶縁性のプラグ本体と、このプラグ本体の前面から突出して電源に接続される１対のブレードと、回動軸心上に形成された軸孔と、前記回動軸心と直交する一側面から回動軸心方向に突出するブレード接点部とを有し、前記ケース内に、前記プラグが前記接続位置にあるときに前記ブレード接点部と接触する接触子と、回動規制部材とが設けられている。前記回動規制部材は、前記プラグの一側面に対向するプレート状の規制部材本体を有し、この規制部材本体に、前記プラグの軸孔に挿通される軸体が突設され、さらに、前記ブレード接点部を挿通させて前記接続位置と収納位置に位置規制する規制溝が形成されている。
【０００９】
このプラグ可動式電源アダプタでは、プラグ本体の一側面から突設されたブレード接点部が、回動規制部材の規制溝を挿通しながらケース内へ突出されて、ブレードがケースから突出する接続位置にプラグが位置決めされたときのみ、ケース内の接触子に接触する。したがって、プラグ本体に接触子が接触しないので、プラグ本体の磨耗や削り屑の発生が生じない。また、ケースにおけるブレード接点部が挿入される開口は、回動規制部材の規制部材本体によって覆われているので、塵埃や異物などがケースの内部に侵入するのを防止することができる。
【００１０】
さらに、プラグは、自身の軸孔に回動規制部材の軸体を挿通させるとともに、自身のブレード接点部が回動規制部材の規制溝に挿通された安定した回転支持機構で回転自在に支持されているので、円滑な回転操作性を得られるとともに、長期にわたり使用する場合にも高い信頼性を得ることができる。
【００１１】
本発明の実施形態では、さらに前記回動規制部材が、前記プラグ本体の一側面に近接して、前記一側面とケースとの隙間から異物がケース内に侵入するのを防止する異物侵入防止壁を有するものとされている。これにより、ケースの収納凹所におけるブレード接点部が内部に挿入される開口を、回動規制部材の異物侵入防止壁で確実に閉塞することができる。
【００１２】
また、本発明の好ましい実施形態では、前記プラグ本体の一側面に、前記異物侵入防止壁の先端部を進入させる凹所が形成されている。これにより、ケースの収納凹所におけるブレード接点部が内部に挿入される開口を、回動規制部材の異物侵入防止壁でより確実に閉塞することができる。
【００１３】
さらに、本発明の好ましい実施形態では、前記プラグ本体の一側面と反対側の他側面に、前記軸体と協動して前記プラグをケースに対して回動自在に支持する支軸が突出して形成されている。これにより、プラグが、その一側面では軸体により、他側面では支軸により回転自在に支持されることになるので、さらに安定した回転支持機構とすることができ、より円滑な回転操作性が得られる。
【００１４】
また、本発明の好ましい実施形態では、前記回動規制部材の軸体が、前記プラグ本体の軸孔を貫通して前記一側面と反対側の他側面から突出し、その突出部がケースに回動自在に支持されている。これにより、プラグを、安定した回転支持機構で回転自在に支持できるとともに、プラグを簡単な構造とすることができ、組立性の向上や、コスト低減が可能となる。
【００１５】
さらに、本発明の好ましい実施形態では、前記異物侵入防止壁が、前記軸体と同芯の環状壁とされている。これにより、プラグの回転に共回りするブレード接点部と干渉することがないように、異物侵入防止壁をコンパクトに構成することができる。
【００１６】
また、本発明の好ましい実施形態では、前記ケースが２つのケース半体に分割されており、前記回動規制部材は一方のケース半体に形成された取付溝に差し込まれ、他方のケース半体により前記取付溝から離脱不能に位置決めされている。これにより、回動規制部材をケース内に容易に支持させることができ、組立性が向上する。
【００１７】
さらに、本発明の好ましい実施形態では、前記回動規制部材の規制溝に、前記ブレード接点部に接触して前記プラグの回動に抵抗を与える接触部が形成されている。これにより、プラグを接続位置と収納位置とに安定良く位置決めできるとともに、プラグの回転に際しクリック感が得られて回転操作性も向上する。
【００１８】
また、本発明の好ましい実施形態では、前記回転規制部材と前記プラグ本体の一方に接触突起が設けられ、他方に、前記接触突起に接触して前記プラグ本体の回動に抵抗を与える接触面が設けられている。この場合も、プラグを接続位置と収納位置とに安定良く位置決めできるとともに、プラグの回転に際しクリック感が得られて回転操作性も向上する。
【００１９】
さらに、本発明の好ましい実施形態では、前記プラグ本体に、回転方向の第１の位置および第２の位置に設けられた係合部が形成され、前記回動規制部材に、前記第１の位置と第２の位置の前記係合部に選択的に係合されて前記プラグを前記接続位置と収納位置に保持する被係合部が形成されている。これにより、プラグが接続位置と収納位置とに位置決めされたとき、回動規制部材の被係合部がプラグの第１および第１の位置の係合部に選択的に係合することになり、プラグを位置決め状態に確実に保持でき、また、プラグの回転に際しクリック感が得られて回転操作性も向上する。
【００２０】
【発明の実施形態】
以下、本発明の好ましい実施形態について図面を参照しながら説明する。
図１は本発明の一実施形態に係るプラグ可動式電源アダプタを示す分解斜視図である。この電源アダプタは、絶縁性樹脂で形成されたケース上半体２とケース下半体３からなるケース１と、ＡＣ電源をＤＣ電源に変換するＡＣ−ＤＣ変換回路が形成されてケース下半体３の内部に装着されたプリント回路基板４と、ＡＣ電源に接続される導電性金属からなる１対のブレード８，８の一部が絶縁性樹脂のプラグ本体９にモールドされてなるプラグ７と、絶縁性および弾性を有する樹脂で形成されてなり、前記プラグ本体９の一側面９ａに近接して対向配置された回動規制部材１０と、プリント回路基板４の入力端子部２４に基部を接合して装着された１対の接触子１１，１１とを備えている。前記プラグ７は、そのブレード８，８が前記接触子１１，１１に接続される接続位置と、ケース１内に完全に収納される収納位置とに回動自在となるように、ケース１に回動自在に支持されている。
【００２１】
ケース１は、ケース上半体２とケース下半体３とが相互に組み合わされて、全体として薄型の直方体の外観を有し、衣服のポケットなどに収容可能な携帯型のサイズになっている。このケース１の外形は、図７に示す第２実施形態と同一である。図１のケース上半体２およびケース下半体３の各々の内部には、互いに突き合わされることによってプラグ７を収納するための後述する収納凹所２８（図４）をケース１の一側部に形成する立壁１２，１３が相対向して形成されている。この立壁１２，１３のうち対向壁１２ａ，１２ｂ、１３ａ，１３ｂがプラグ本体９の両側面９ａ，９ｂに対向しており、そのうちの一方（ケース１の中央寄り）の対向壁１２ａ，１３ａには、大径の半円状切欠き１２ｃ，１３ｃが形成されているとともに、各々の他方（ケース１の一端寄り）の対向壁１２ｂ，１３ｂには、小径の半円状切欠き１２ｄ，１３ｄが形成されている。さらに、各々の一方の対向壁１２ａ，１３ａの外面側には、回動規制部材１０の両側端部を嵌め込ませて保持する一対の取付溝１２ｅ，１２ｆ、１３ｅ  ，１３ｆが一体形成されている。
【００２２】
上記プラグ７のプラグ本体９には、プラグ７の回動軸心Ｏと直交し前記回動規制部材１０に対向する一側面９ａに、回動軸心Ｏ上に位置する軸孔１４が形成されている。また、プラグ本体９の一側面９ａには、一対のブレード８，８からそれぞれ一体に延設されたブレード接点部１９，１９が、軸孔１４の両側で相対向する配置で互いに平行に回動軸心Ｏ方向に向け突出されている。プラグ７の１対のブレード８，８は、プラグ本体９の前面９ｃから突出している。
【００２３】
上記回動規制部材１０は、プラグ本体９の一側面９ａに対向するプレート状の規制部材本体２０と、この規制部材本体２０のプラグ本体９と対向する一面中央部から一体に突設された軸体２１と、規制部材本体２０に穿設された９０度の角度幅を持つほぼ円弧状の一対の規制溝２３，２３と、規制部材本体２０のプラグ本体９に対向する一面に一体に突出形成された環状の異物侵入防止壁２２とを有する。異物浸入防止壁２２は軸体２１と同芯の環状に形成されている。軸体２１は、プラグ本体９の軸孔１４に挿通されてプラグ７を回転自在に支持するものである。一対の規制溝２３，２３は、それぞれプラグ７のブレード８の一端部で形成されたブレード接点部１９，１９を挿通させて、プラグ７の回転時にブレード接点部１９，１９を案内し、上述した接続位置と収納位置に位置規制する。これら規制溝２３の外周縁途中には、ブレード接点部１９に接触して、プラグ７の回動に抵抗を与える接触部２３ａがそれぞれ形成されている。また、前記接触部２３ａの径方向への弾性変位を容易にするために、規制部材本体２０における各規制溝２３の外周側には、各規制溝２３に沿う切り抜き部２６がそれぞれ形成されている。異物侵入防止壁２２は、プラグ本体９の一側面９ａに近接して、その一側面９ａとケース１の対向壁１２ａ，１３ａとの隙間から異物がケース１内に侵入するのを防止する。
【００２４】
また、プラグ本体９の前記回動規制部材１０と対向する一側面９ａには、回動規制部材１０の異物侵入防止壁２２の先端部を進入させる円形の凹所２５が、軸孔１４と同芯に形成されている。さらに、プラグ本体９の前記一側面９ａと反対側の他側面９ｂには、図２に斜視図で示すように、前記回動規制部材１０の軸体２１と協動して前記プラグ７をケース１に対して回動自在に支持する支軸３１が突出して形成されている。この支軸３１は、ケース上半体２およびケース下半体３の立壁１２，１３における半円状切欠き１２ｄ（図１），１３ｄで支承される。また、立壁１２，１３における対向壁１２ｂ，１３ｂの前記半円状切欠き１２ｄ，１３ｄの左右両側には、図１に示すように、ケース上半体２，ケース下半体３の外壁に跨がる仕切壁３２ａ，３２ｂ，３３ａ，３３ｂが形成され、これにより、対向壁１２ｂ，１３ｂを補強するとともに、前記半円状切欠き１２ｄ，１３ｄからケース１内へ異物が侵入するのを防止している。
【００２５】
プリント回路基板４には、図示していないが、電源トランス、整流器ユニットおよび平滑回路などを備えたＡＣ−ＤＣ変換回路が設けられている。図１には、プリント回路基板４に取り付けられる各部品のうちの一対の接触子１１，１１のみを図示してある。この接触子１１，１１は、各々の基端部をプリント回路基板４の入力端子部２４，２４にそれぞれ接合して、前記基板４から起立した状態に取り付けられている。接触子１１、１１は、導電性の金属薄板をほぼ逆Ｕ字形状に折り曲げることによって弾性が付加され、その内側の相対向する接触部１１ａ，１１ａでブレード接点部１９，１９と弾性的に接触するようになっている。
【００２６】
図３は上記プラグ可動式電源アダプタにおけるプラグ７がケース１内に収納された状態をケース上半体２を除外して示した平面図、図４は図３のIV−IV線断面図、図５はプラグ７のブレード８，８がケース１から突出した状態をケース上半体２を除外して示した平面図、図６は図５のVI−VI線断面図である。つぎに、これらの図を参照しながら、上記プラグ可動式電源アダプタの組立手順について説明する。
【００２７】
先ず、ケース下半体３には、一対の接触子１１，１１が装着されたプリント回路基板４が、図４に示すように、ケース下半体３の取付ボス２７を介して固定される。一方、プラグ７と回動規制部材１０とは、図１の相対位置において、回動規制部材１０の軸体２１をプラグ７の軸孔１４に挿通させ、かつプラグ７の１対のブレード接点部１９，１９を回動規制部材１０の対応する規制溝２３，２３に挿通させた状態に組み立てられる。
【００２８】
こうしてプラグ７が組み付けられた回動規制部材１０は、図３に示すように、その下方の両側端部をケース下半体３の立壁１３における一対の取付溝１３ｅ，１３ｆに嵌め込むとともに、プラグ本体９の支軸３１を立壁１３における他方の対向壁１３ｂの小径の半円状切欠き１３ｄに嵌め込んでケース下半体３に取り付ける。このとき、図４に示すように、プラグ７の下半部はケース下半体３の立壁１３で囲まれた空間内に入り込み、規制溝２３，２３に挿通されている一対のブレード接点部１９，１９は、立壁１３における一方の対向壁１３ａの大径の半円状切欠１３ｃ内を挿通する配置となる。
【００２９】
最後に、ケース下半体３にはケース上半体２が所定の突き合わせ状態で固定され、プラグ可動式電源アダプタの組み立てが完了する。このとき、ケース上半体２とケース下半体３との各々の立壁１２，１３は、互いに突き合わされて、プラグ７を収納する収納凹所２８を構成する。また、上記両立壁１２，１３における各々の一方の対向壁１２ａ，１３ａの大径の半円状切欠き１２ｃ，１３ｃは、互いに突き合わされて、一対のブレード接点部１９，１９を回動規制部材１０側へ貫通させ、回動規制部材１０の異物侵入防止壁２２をプラグ７側に突出させる貫通孔２９を形成する。この貫通孔２９は、環状の異物侵入防止壁２２の外径より若干大きな径の円形孔となる。
【００３０】
さらに、上記両立壁１２，１３における各々の他方の対向壁１２ｂ，１３ｂの小径の半円状切欠き１２ｄ，１３ｄは、互いに突き合わされて、プラグ本体９の他側面９ｂから突出する支軸３１を上下から挟み込む状態で回転自在に支持する支持孔３０を形成する。また、回動規制部材１０の上方の両側端部は、図１に示すケース上半体３の立壁１２における一対の取付溝１２ｅ，１２ｆ内に嵌め込まれている。こうして、回動規制部材１０は、その両側端部が上下の各一対の取付溝１３ｅ，１３ｆ、１２ｅ，１２ｆに嵌め込まれて確実に固定される。これにより、接続位置と収納位置とに回動自在となるように、プラグ７をケース１内に容易に支持させることができ、組立性が向上する。ケース上半体３の取付溝１２ｅ，１２ｆを省略して、ケース上半体３の上壁の内面で規制部材本体１０の上端縁を押さえるようにして、規制部材本体１０をケース１内に固定してもよい。
【００３１】
つぎに、上記プラグ可動式電源アダプタの使用方法について説明する。プラグ７は、自身の軸孔１４に挿通された回動規制部材１０の軸体２１と、プラグ本体９の他側面９ｂから突出する支軸３１（図２）とを回転軸として、９０度の角度範囲内で回転可能である。非使用時には、プラグ７を、その１対のブレード８，８が横向き姿勢となって、図３および図４に示すケース１の収納凹所２８内に完全に収納される収納位置に設定する。このとき、１対のブレード接点部１９，１９は両接触子１１，１１の中間で非接触状態になる。
【００３２】
使用時には、収納凹所２８内の１対のブレード８，８を手でケース１の外部に引き出すようにして、プラグ７を９０度回転させる。このとき、１対のブレード接点部１９，１９は、回動規制部材１０の規制溝２３，２３を摺動する。その摺動途中で、ブレード接点部１９は規制溝２３の外周縁の途中に形成された接触部２３ａを越えるので、プラグ７の回動抵抗が急激に軽くなる。これにより、図６に示すように、ブレード８，８がケース１の下方に突出した接続位置に位置決め保持されるとともに、図５に示すように、１対のブレード接点部１９，１９は、それぞれ対応する接触子１１，１１に弾性的に確実に接触して、ブレード８，８をプリント回路基板４のＡＣ−ＤＣ変換回路に電気的に接続される。この状態でブレード８，８を商用交流電源の電源コンセントに差し込めば、出力コード（図示せず）から所要のＤＣ電源を取り出すことができる。
【００３３】
図１の接触子１１，１１は、プラグ７に対して、使用時にブレード接点部１９，１９に接触するが、プラグ本体９に対し全く接触しないので、従来のＡＣアダプタにおいて生じていた樹脂製のプラグ本体の磨耗や絶縁性の削り屑の発生といった不具合が解消される。また、図４に示すケース１の収納凹所２８における一方側の大径の半円状切欠き１２ｃ，１３ｃによる貫通孔２９、つまりブレード接点部１９が挿入される開口は、回動規制部材１０の規制部材本体２０によって覆われ、収納凹所２８における他方側の小径の半円状切欠き１２ｄ，３ｄによる支持孔３０は、プラグ本体９の他側面９ｂから突出する支軸３１でほぼ閉塞される。したがって、ケース１内に塵埃や異物が侵入するのを防止することができ、導電性を有する塵埃などの侵入に起因してケース１内部のプリント回路基板４が電気的にショートされるおそれがない。
【００３４】
とくに、この実施形態では、回動規制部材１０が、プラグ本体９の一側面９ａに近接して、前記一側面９ａとケース１との隙間から異物ケース１内に侵入するのを防止する異物侵入防止壁２２を有するものとされているので、ケース１の収納凹所２８におけるブレード接点部１９，１９が内部に挿入される開口（貫通孔２９）を、異物侵入防止壁２２で確実に閉塞することができる。
また、プラグ本体９の一側面９ａには、前記異物侵入防止壁２２の先端部を進入させる凹所２５が形成されているので、前記開口箇所（貫通孔２９）を、異物侵入防止壁２２でより確実に閉塞することができる。
さらに、前記異物侵入防止壁２２が、軸体２１と同芯の環状壁とされているので、プラグ７の回転に共回りするブレード接点部１９，１９と干渉することがないように、異物侵入防止壁２２をコンパクトに構成することができる。
【００３５】
さらに、プラグ７は、図２の回動規制部材１０に一体形成されてプラグ本体９の軸孔１４に嵌合された軸体２１と、プラグ本体９の他側面９ｂから突出してケース１の支持孔３０に嵌合された支軸３１とによる安定した回転支持機構で回転自在に支持されているので、円滑な回転操作性が得られるとともに、長期間にわたり高い信頼性を確保することができる。さらに、図１のブレード接点部１９，１９が、プラグ７の回動に伴い回動規制部材１０の規制溝２３，２３を摺動して、これら規制溝２３，２３の外周縁途中に形成された接触部２３ａ，２３ａを越えるとき、プラグ７の回動に抵抗が与えられ、前記接触部２３ａ，２３ａを越えたときその抵抗が急激に小さくなることにより、ケース１に対しプラグ７が収納位置および接続位置に位置決めされたことを明確に確認できるクリック感が得られる。また、規制溝２３，２３に形成された接触部２３ａ，２３ａにより、プラグ７を、収納位置と突出した接続位置とに安定良く位置規制できる。
【００３６】
図７は本発明の他の実施形態に係るプラグ可動式電源アダプタを示す分解斜視図である。この電源アダプタは、図１〜図６に示した先の実施形態において、プラグ本体９の外周面における回転方向９０度の間隔で第１の位置と第２の位置とに配置された凹溝からなる第１および第２の係合部１７，１８が形成されている。また、回動規制部材１０における規制部材本体２０のプラグ７に対向する一面の上端中央部には、この部分から突出する突起である被係合部４３が一体に形成されている。この被係合部４３は、プラグ７が回動するときに弾性変形してプラグ本体９の外周面に摺接するとともに、プラグ７が収納位置にあるとき、および接続位置にあるときに、第１および第２の係合部１７，１８に選択的に嵌まり込んで係合され、プラグ７を位置決め状態に保持する。このため、先の実施形態において同様の機能を持つ規制溝２３，２３の接触部２３ａ，２３ａは省略されている。
【００３７】
また、回動規制部材１０の軸体２１は、プラグ本体９の一側面９ａ側から軸孔１４を貫通して、プラグ本体９の他側面９ｂから突出し、その突出部がケース上半体２，ケース下半体３における対向壁１２ｂ，１３ｂの半円状切欠き１２ｄ，１３ｄからなる支持孔３０で回動自在に支持されている。したがって、先の実施形態におけるプラグ本体９の支軸３１は省略されている。
さらに、この実施形態では、図１の回動規制部材１０の異物侵入防止壁２２や、プラグ本体９の凹所２５も省略されている。その他の構成は先の実施形態の場合とほぼ同様であり、ここではその説明を省略する。
【００３８】
図８は上記プラグ可動式電源アダプタにおけるプラグ７が収納位置にある状態をケース上半部２を除外して示した平面図、図９は図８のIX−IX線断面図、図１０はプラグ７が接続位置にある状態をケース上半体２を除外して示した平面図、図１１は図１０のXI−XI線断面図である。
【００３９】
組立時に、プラグ７と回動規制部材１０とは、図７の相対位置において、回動規制部材１０の軸体２１をプラグ７の軸孔１４に挿通させ、かつプラグ７の１対のブレード接点部１９，１９を回動規制部材１０の対応する規制溝２３，２３に挿通させ、さらに、回動規制部材１０の被係合部４３を第１の係合部１７に嵌め込む状態に組み立てられる。
【００４０】
プラグ７は、自身の軸孔１４に挿通された回動規制部材１０の軸体２１を回転軸として、図７の第１および第２の係合部１７，１８に被係合部４３が選択的に嵌まり込む９０度の角度範囲内で回転可能である。非使用時には、図８および図９に示すように、プラグ７を第１の係合部１７に被係合部４３が嵌まり込む位置決め状態まで回転操作する。このとき、プラグ７は、その一対のブレード接点部１９，１９がケース１の収納凹所２８内に完全に収納されるとともに、１対のブレード接点部１９，１９が両接触子１１，１１の中間で非接触状態となる収納位置に設定される。
【００４１】
使用時には、収納凹所２８内の１対のブレード８，８を手でケース１の外部に引き出して、第２の係合部１８に被係合部４３が嵌まり込むまでプラグ７を回転させる。このとき、突起からなる被係合部４３は、弾性変形しながら図７の第１の係合部１７から抜脱してプラグ本体９の外周面に摺接したのち、第２の係合部１８に嵌まり込む。これにより、図１１に示すように、プラグ７は、そのブレード８，８がケース１の下方に突出するとともに、図１０に示すように、１対のブレード接点部１９，１９がそれぞれ対応する接触子１１，１１に弾性的に接触する接続位置に位置決めされ、プラグ７のブレード８，８がプリント回路基板４のＡＣ−ＤＣ変換回路に電気的に接続される。
【００４２】
このプラグ可動式電源アダプタの場合も、図９のケース１の収納凹所２８における一側方の大径の半円状切欠き１２ｃ，１３ｃによる貫通孔２９が、回動規制部材１０によって覆われ、収納凹所２８における他側方の小径の半円状切欠き１２ｄ，１３ｄによる支持孔３０は、これによって回転自在に支持する軸体２１の先端部で閉塞されている。したがって、ケース１内に塵埃や異物が侵入するのを確実に防止することができ、導電性を有する塵埃などの侵入に起因してケース１内部のプリント回路基板４が電気的にショートされるおそれがない。
【００４３】
さらに、図７のプラグ７は、回動規制部材１０に一体形成されて先端部をケース１の支持孔３０に嵌合された軸体２１による安定した回転支持機構で回転自在に支持されているので、円滑な回転操作性が得られるとともに、長期間にわたり高い信頼性を確保することができ、さらに、第１および第２の係合部１７，１８への被係合部４３の係合により、ケース１に対し収納位置および接続位置に確実に保持でき、また、プラグ７の回転に際しクリック感が得られて回転操作性も向上する。
【００４４】
さらに、この実施形態では、図９に示す回動規制部材１０の軸体２１が、プラグ本体９の軸孔１４を貫通して他側面９ｂから突出し、その突出部がケース１の支持孔３０で回動自在に支持されているので、プラグ７を安定した回転支持機構で回転自在に支持できるとともに、プラグ７を簡単な構造とすることができ、組立性の向上や、コスト低減が可能となる。
【００４５】
図１２は、本発明のさらに他の実施形態に係るプラグ可動式電源アダプタの一部を示す分解斜視図である。この電源アダプタは、図１〜図６に示した先の実施形態において、回転規制部材１０の接触部２３ａ（図１）に代えて、図１２に示す回転規制部材１０Ａに一対の接触突起４４，４４が設けられ、プラグ本体９には前記接触突起４４に接触してプラグ本体９の回動に抵抗を与える接触面４５が設けられている。図１３は、回動規制部材１０Ａを、プラグ本体９と対向する一面側から見た斜視図である。
【００４６】
回動規制部材１０Ａの規制部材本体２０には、９０度の角度幅を持つ円弧状の一対の規制溝２３，２３が穿設されるとともに、各規制溝２３内の外周側に、その外周にほぼ沿うように径方向への弾性変位が可能な弾性片４７がそれぞれ一体に形成されており、さらに各弾性片４７の中央部にはプラグ本体９の一側面９ａに対向するように、前記接触突起４４がプラグ７の回動軸心Ｏ方向に向けてそれぞれ突出させてある。一方、図１２に示すプラグ本体９の一側面９ａには、回動軸心Ｏ上に位置する軸孔１４と同芯にボス４６が形成され、このボス４６の径方向外方が、回動規制部材１０Ａの異物浸入防止壁２２の先端部を進入させる環状の凹所２５とされている。ボス４６の外周面は、径方向外方に突出する接触山部４５ａと径方向内方に後退する接触谷部４５ｂとを周方向に交互に複数並べた前記接触面とされている。
【００４７】
プラグ７と回動規制部材１０Ａとは、図１２の相対位置において、回動規制部材１０Ａの軸体２１（図１３）をプラグ７の軸孔１４に挿通させ、かつプラグ７の一対のブレード接点部１９，１９を回動規制部材１０Ａの対応する規制溝２３，２３に挿通させた状態に組み立てられる。この組立状態において、回動規制部材１０Ａの一対の接触突起４４，４４が、前記接触面４５の対応する一対の接触谷部４５ｂに接触ないし近接するように配置してある。その他の構成は、図１〜図６に示した先の実施形態とほぼ同様である。
【００４８】
この実施形態では、図１４に示すように、プラグ７を一対の接触谷部４５ｂ，４５ｂに位置する収納位置Ｐ１から矢印Ｑ方向に回転させると、一対のブレード接触部１９，１９が図１２の回動規制部材１０Ａの規制溝２３，２３に沿って回動するとともに、これと並行して、図１４の回動規制部材１０Ａの各接触突起４４が、接触面４５の１つの接触谷部４５ｂから接触山部４５ａを越えて隣の接触谷部４５ｂに移動し（４５°回転）、さらにもう一つの接触山部４５ａを越えて、二点鎖線で示すように、その隣の接触谷部４５ｂに移動する。これにより、プラグ７が９０°回転した接続位置（突出位置）Ｐ２に移動する。このとき、接触突起４４は、図１３の弾性片４７の復元力に抗して、図１４の接触山部４５ａを越えるので、プラグ７に回動抵抗が働き、隣の接触谷部４５ｂに移行し終わると回動抵抗が急激に軽くなる。これにより、プラグ７が接続位置Ｐ２に安定良く位置決めされる。
【００４９】
接続位置Ｐ２から収納位置Ｐ１にプラグ７を回転させるときにも同様の動作が行われ、収納位置Ｐ１でプラグ７が安定する。また、プラグ７の回転に際しクリック感が得られて回転操作性も向上する。さらに、収納位置Ｐ１と接続位置Ｐ２の間（この例では４５°位置）でもプラグ７が安定して位置するから、プラグ７を収納位置Ｐ１から一気に９０°回転させて接続位置Ｐ２に移動させる必要はなく、２段階で９０°回転させればよいので、操作性がさらに向上する。
【００５０】
なお、この実施形態では、回動規制部材１０Ａ側に接触突起４４，４４を設け、プラグ本体９に接触面４５を設けた場合を示したが、逆にプラグ本体９に接触突起４４，４４を設け、回動規制部材１０Ａ側に接触面４５を設けるようにしても、この実施形態の場合と同様の機能を持たせることができる。
【００５１】
【発明の効果】
以上のように本発明に係るプラグ可動式電源アダプタによれば、プラグのブレード接点部がケースの内部に装着された接触子に接触するが、プラグ本体に接触しないので、プラグ本体の磨耗や削り屑の発生が抑制され、接触不良が発生しない。また、ケースにおけるブレード接点部が内部に挿入される開口は回動規制部材によって覆われているので、塵埃や異物などがケースの内部に侵入するのを防止することができ、導電性を有する塵埃などの侵入に起因するプリント回路基板の電気的ショートの発生といったおそれがない。
【００５２】
さらに、プラグは、自身の軸孔に回動規制部材の軸体を挿通させるともに自身のブレード接点部が回動規制部材の規制溝に挿通された安定した回転支持機構で回転自在に支持されているので、円滑な回転操作性を得られるとともに、長期にわたり使用する場合にも高い信頼性を得ることができる。
【図面の簡単な説明】
【図１】本発明の一実施形態に係るプラグ可動式電源アダプタを一方向から見た分解斜視図である。
【図２】同上のプラグ可動式電源アダプタを他の方向から見た分解斜視図である。
【図３】同上のプラグ可動式電源アダプタにおけるプラグがケース内に収納された状態をケース上半体を除外して示した平面図である。
【図４】図３のIV−IV線断面図である。
【図５】同上のプラグ可動式電源アダプタにおけるプラグがケースから突出された状態をケース上半体を除外して示した平面図である。
【図６】図４のVI−VI線断面図である。
【図７】本発明の他の実施形態に係るプラグ可動式電源アダプタを示す分解斜視図である。
【図８】同上のプラグ可動式電源アダプタにおけるプラグがケース内に収納された状態をケース上半体を除外して示した平面図である。
【図９】図８のIX−IX線断面図である。
【図１０】同上のプラグ可動式電源アダプタにおけるプラグがケースから突出された状態をケース上半体を除外して示した平面図である。
【図１１】図１０のX1−XI線断面図である。
【図１２】本発明のさらに他の実施形態に係るプラグ可動式電源アダプタの一部を示す分解斜視図である。
【図１３】同上のプラグ可動式電源アダプタにおける回動規制部材をプラグ本体対向側から見た斜視図である。
【図１４】同上のプラグ可動式電源アダプタのプラグ回転動作を示す説明図である。
【符号の説明】
１…ケース、２…ケース上半体、３…ケース下半体、４…プリント回路基板、７…プラグ、８…ブレード、９…プラグ本体、１０…回動規制部材、１１…接触子、１２，１３…立壁、１２ａ，１２ｂ，１３ａ，１３ｂ…対向壁、１２ｅ，１２ｆ，１３ｅ，１３ｆ…取付溝、１４…軸孔、１７，１８…係合部、１９…ブレード接点部、２０…規制部材本体、２１…軸体、２２…異物侵入防止壁、２３…規制溝、２３ａ…接触部、２５，２５Ａ…凹所、２８…収納凹所、２９…貫通孔、３０…支持孔、３１…支軸、４３…被係合部、４４…接触突起、４５…接触面、４５ａ…接触山部、４５ｂ…接触谷部、４７…弾性片
【図１】
0003713002.tif 000002
【図２】
0003713002.tif 000003
【図３】
0003713002.tif 000004
【図４】
0003713002.tif 000005
【図５】
0003713002.tif 000006
【図６】
0003713002.tif 000007
【図７】
0003713002.tif 000008
【図８】
0003713002.tif 000009
【図９】
0003713002.tif 000010
【図１０】
0003713002.tif 000011
【図１１】
0003713002.tif 000012
【図１２】
0003713002.tif 000013
【図１３】
0003713002.tif 000014
【図１４】
0003713002.tif 000015